(57)【要約】      （修正有）【課題】油煙が漏れ出すのを防止する魚焼き器の油煙漏れ防止構造を提供する。【解決手段】魚焼き器の油煙漏れ防止構造は、魚焼き器の蓋体周辺縁に第一油煙漏れ防止部品３を設置して蓋体２を本体１に被せた時に蓋体と本体の接合箇所の隙間から油煙が漏れ出すのを防止する。この他、蓋体と本体の後面電源台６の位置に連接し、また第二油煙漏れ防止部品４を設置して連接接合面の槽孔から油煙が漏れ出すのを防止する。【選択図】図５
0003143024.tif 000002
【実用新案登録請求の範囲】
【請求項１】
相互に合わさる本体と蓋体、更に本体と蓋体を連接する電源台を含み、該本体と蓋体の内部にはそれぞれ上電熱管と下電熱管を設置し、かつ該本体と蓋体の後側面にはそれぞれ上電熱管と下電熱管が伸びて入る上槽孔と下槽孔を成形し、前記電熱台には上支持フレームと下支持フレームを設置し、該上支持フレームと下支持フレームはそれぞれ蓋体と本体に固定し、該上電熱管と下電熱管を該電源台に延び入れて電気連接する魚焼き器の油煙漏れ防止構造において、
前記蓋体は本体の周辺縁に第一油煙漏れ防止部品を設置して油煙が本体と蓋体の接合箇所の隙間から漏れ出すのを防止し、前記上支持フレームと上槽孔の間、及び下支持フレームと下槽孔の間に第二油煙漏れ防止部品を設置し、油煙が上槽孔と上支持フレームの間、及び下槽孔と下支持フレームの間の隙間から漏れるのを防止することを特徴とする魚焼き器の油煙漏れ防止構造。
【請求項２】
前記第一油煙漏れ防止部品は、シリコンゴム材で製造した環状紐体であることを特徴とする請求項１記載の魚焼き器の油煙漏れ防止構造。
【請求項３】
前記シリコンゴムは、該蓋体の周辺縁の凹槽に嵌合することを特徴とする請求項２記載の魚焼き器の油煙漏れ防止構造。
【請求項４】
前記第二油煙漏れ防止部品は、シリコンゴム材で製造したパッド片であることを特徴とする請求項１記載の魚焼き器の油煙漏れ防止構造。
【請求項５】
前記パッド片は、一側面の両側にそれぞれ定位凹部を設置し、及び該パッド片上には上槽孔もしくは下槽孔と連通する孔を設置し、前記両定位凹部の間の永さは該支持フレームに納置する長さであることを特徴とする請求項４記載の魚焼き器の油煙漏れ防止構造。
【考案の詳細な説明】
【技術分野】
【０００１】
本考案は、魚焼き器を応用して油煙漏れを防止する構造に係る。
【背景技術】
【０００２】
公知の電熱式魚焼き器構造は、およそ相互に蓋が合わさるか、もしくは相互に分離する本体と蓋体、及び電源台を含む。該電源台にはそれぞれ上方と下方に上電熱管と下電熱管を設置する。該上、下電熱管はそれぞれ魚焼き器の蓋体と本体の後方面に設置した槽孔から蓋体と本体内に伸び入れ、上支持フレームで蓋体を電源台に固定し、下支持フレームで本体を電源台に固定する。使用時、焼くための魚を本体内に置き、蓋体を本体状に被せ、電源台の電源を始動させ、上下電熱管が通電して熱を発し、魚を焼く。使用後は、蓋体と本体を分離してきれいに洗う。
【０００３】
魚を焼くと必ず油煙が発生するが、大量の油煙は空気を汚して健康に影響を与える。現在の魚焼き器は、蓋体の上方に油煙ろ過器を設置しており、魚を焼いている時に発生した油煙は該油煙ろ過器を通過した後、蓋体の排気孔から排出される。
【０００４】
魚焼き器の本体と蓋体は、どちらも硬質の金属板で製造されている。そのため、製造過程に於いて、材料の問題から、もしくは加工時の誤差等の問題から、部品と部品の接合面に不均一な隙間が発生してしまう。そのため、公知の魚焼き器は蓋体にたとえ油煙ろ過器を設置して大部分の油煙はろ過できても、少しの油煙がこれらの隙間から漏れ出してしまう。漏れ出した油煙は少しずつでも長時間の焼きによって多量となり、結局は空気を汚し、健康に影響を与える。
【０００５】
解決しようとする問題点は、前述の隙間は、通常魚焼き器の本体と蓋体の接合箇所、及び蓋体と電源台の間、本体と電源台の間の接合箇所に集中するが、公知の魚焼き器はこの種の欠点に有効な解決を施していない点である。
【考案の開示】
【考案が解決しようとする課題】
【０００６】
魚焼き器に応用する油煙漏れ防止構造で、特に魚焼き器の蓋体と本体の接合箇所、及び蓋体と電源台の間、本体と電源台の間の連接箇所に対し、油煙漏れ防止の設計を施すことを本考案の目的とする。
【０００７】
本考案の特徴は、魚焼き器の蓋体周辺縁に第一油煙漏れ防止部品を設置し、蓋体を本体に合わせた時、油煙が蓋体と本体の接合箇所から漏れ出すのを防止する。この他、蓋体と本体の後方面の電源台に連接する位置に第二油煙漏れ防止部品を設置し、油煙が連接接合面の槽孔から漏れ出すのを防止する。
【０００８】
前記魚焼き器は、相互に合わさるか、もしくは互いに分離する本体と蓋体、及び本体と蓋体に連接する電源台を含む。該本体と蓋体の内部にはそれぞれ上電熱管と下電熱管を設置し、且つ本体と蓋体の後側面にはそれぞれ上電熱管と下電熱管を伸び入れる上槽孔と下槽孔を設置し、前記電源台には上支持フレームと下支持フレームを設置する。該上支持フレームと下支持フレームはそれぞれ該蓋体と本体に固定し、更に該上電熱管と下電熱管を電源台に入れて電気連接する。これにより、本考案の技術手段として、前記蓋体が本体に合わさる周辺縁に油煙漏れ防止部品をして油煙が本体と蓋体の接合箇所の隙間から漏れ出すのを防止する。本考案は、シリコンゴム材で該第一油煙漏れ防止部品を製造する。該第一油煙漏れ防止部品は蓋体の周辺縁の凹槽二嵌合する環状紐体とする。
【０００９】
本考案の第二の手段として、前記上支持フレームと蓋体の上槽孔の間、及び下支持フレームと本体の下槽孔の間に第二油煙漏れ防止部品を設置して油煙が該上槽孔と上支持フレームの間の隙間、及び下槽孔とした支持フレームの間の隙間から漏れ出すのを防止する。本考案ではシリコンゴムを採用して第二油煙漏れ防止部品とする。該第二油煙漏れ防止部品は一種のパッド片とし、前記パッド片の一側面の両側にはそれぞれ定位凹部を設置し、パッド片上には上槽孔と連通する孔を設置し、前記両定位凹部の間の長さは該支持フレームがちょうど入る長さであり、パッド片が支持フレームによって蓋体もしくは本体と圧迫された時、上槽孔もしくは下槽孔の周辺を密封して油煙が漏れ出すのを防止する。
【課題を解決するための手段】
【００１０】
請求項１の考案は、相互に合わさる本体と蓋体、更に本体と蓋体を連接する電源台を含み、該本体と蓋体の内部にはそれぞれ上電熱管と下電熱管を設置し、かつ該本体と蓋体の後側面にはそれぞれ上電熱管と下電熱管が伸びて入る上槽孔と下槽孔を成形し、前記電熱台には上支持フレームと下支持フレームを設置し、該上支持フレームと下支持フレームはそれぞれ蓋体と本体に固定し、該上電熱管と下電熱管を該電源台に延び入れて電気連接する魚焼き器の油煙漏れ防止構造において、
前記蓋体は本体の周辺縁に第一油煙漏れ防止部品を設置して油煙が本体と蓋体の接合箇所の隙間から漏れ出すのを防止し、前記上支持フレームと上槽孔の間、及び下支持フレームと下槽孔の間に第二油煙漏れ防止部品を設置し、油煙が上槽孔と上支持フレームの間、及び下槽孔と下支持フレームの間の隙間から漏れるのを防止することを特徴とする魚焼き器の油煙漏れ防止構造としている。
請求項２の考案は、前記第一油煙漏れ防止部品は、シリコンゴム材で製造した環状紐体であることを特徴とする請求項１記載の魚焼き器の油煙漏れ防止構造としている。
請求項３の考案は、前記シリコンゴムは、該蓋体の周辺縁の凹槽に嵌合することを特徴とする請求項２記載の魚焼き器の油煙漏れ防止構造としている。
請求項４の考案は、前記第二油煙漏れ防止部品は、シリコンゴム材で製造したパッド片であることを特徴とする請求項１記載の魚焼き器の油煙漏れ防止構造としている。
請求項５の考案は、前記パッド片は、一側面の両側にそれぞれ定位凹部を設置し、及び該パッド片上には上槽孔もしくは下槽孔と連通する孔を設置し、前記両定位凹部の間の永さは該支持フレームに納置する長さであることを特徴とする請求項４記載の魚焼き器の油煙漏れ防止構造としている。
【考案の効果】
【００１１】
本考案の魚焼き器の油煙漏れ防止構造は、油煙が漏れ出すのを防止するという利点がある。
【考案を実施するための最良の形態】
【００１２】
第１から４図に示すとおり、本考案では魚焼き器を提供し、本体１、蓋体２及び電源台６を含む。一定以上の熱量に耐えられるよう、本体１と蓋体２は金属材で製造する。そのうち、本体１は底面と四方がすべて金属板で構成された壁面で、上方のみに開口を具え、且つ該開口の周囲には凸縁１４を形成する。また蓋体２は上面と四方がすべて金属板で構成された壁面とし、下方にのみ開口を具える。このため、蓋体２下方の開口は本体１上方の開口に被さり、蓋体２の開口の周辺縁が本体１の凸縁で支持する。また、本体１の後側面には下槽孔１２を成形し、下槽孔１２には回転する下回転ボタン１３を設置する。蓋体２の後側面には上槽孔２２を設置し、上槽孔２２両側の蓋体には回転する上回転ボタン２４を設置する。蓋体２の上面には更に油煙ろ過器２１を設置する。
【００１３】
上述した電源台６は、魚焼き器に電源による食物の加熱焼きの設備を提供する。該電源台６は上方と下方の両支持フレーム５をそれぞれ設置し、該支持フレームの中央には貫通孔５１を設置し、支持フレーム５の両側に孔５２を成形する。前述の支持フレーム５はネジで電源台６に固定する。電源台６の上下方にはそれぞれ上電熱管２３と下電熱管１１設置し、該上電熱管２３と下電熱管１１はそれぞれ支持フレーム５の貫通孔５１に挿入し、上電熱管２３を蓋体２の上槽孔２２に差し込んで蓋体２内に入れ、また下電熱管１１は本体１の下槽孔１２に挿入して本体１内に入れる。
【００１４】
第１から４図に示すとおり、魚を焼く時に発生する大部分の油煙は油煙ろ過器２１でろ過された後、排出される。そのため、本考案で提供する油煙漏れ防止構造は、主に蓋体２と本体１の合わさる箇所、及び上下槽孔２２、１２と両支持フレーム５の間の隙間に対して油煙漏れ防止を実施する。蓋体２と本体１の接合箇所の漏れ防止構造の本考案の実施例では、シリコンゴム材で製造した第一油煙漏れ防止部品３を提供する。第２図と第３図に示すとおり、該第一油煙漏れ防止部品３は蓋体２の開口周辺形状に対応した一種の密封環状紐体で、該環状紐体は蓋体２の周辺縁の凹槽３１に嵌合する。そのため、第一油煙漏れ防止部品３が蓋体２の開口周辺縁に結合した後、蓋体２を本体１の凸縁１４に合わせると、蓋体２の重量圧によって第一油煙漏れ防止部品３を圧迫し、それによって蓋体２と本体１を合わせて隙間密封し、油煙がそこから漏れるのを防止する。
【００１５】
本考案は、上下槽孔２２、１２と両支持フレーム５の間の隙間から漏れ出す油煙を防止する設計であり、シリコンゴム材で製造された二個のパッド片を提供する。第４図と第６図に示すとおり、該第二油煙漏れ防止部品４の一側面の両側にはそれぞれ定位凹部４２を設置し、該両定位凹部４２の間の第二油煙漏れ防止部品上には上槽孔２２もしくは下槽孔１２と連通する孔４１を設置し、前記の両定位凹部４２の間の長さは該支持フレーム５が納置できる長さである。第５図に示すとおり、本考案は魚焼き器に電源台６を組み合わせる時、先ず上下電熱管２３、１１をそれぞれ両第二油煙漏れ防止部品４の孔４１に挿入し、支持フレーム５の両端を第二油煙漏れ防止部品４の両端の定位凹部４２に嵌入した後、第二油煙漏れ防止部品４と支持フレーム５をひとつに結合し、その後上下電熱管２３，１１をそれぞれ上槽孔２２と下槽孔１２から蓋体２と本体１内に入れ、同時に上回転ボタン２４と下回転ボタン１３を両支持フレーム５の孔５２に挿入し、最後に上回転ボタン２４と下回転ボタン１３を一角度に回転し、該回転ボタンを孔５２に嵌入し、蓋体２及び本体１が該両支持フレーム５から外れるのを防止する。同時に支持フレーム５で第二油煙漏れ防止部品４を蓋体２と本体１の表面に圧迫し、油煙が上槽孔２２と下槽孔１２から漏れ出すのを防止する効果を達成する。
【図面の簡単な説明】
【００１６】
【図１】本考案の魚焼き器の部品組立関係の立体分解図である。
【図２】本考案の第一油煙漏れ防止部品のＡ−Ａ断面構造図である。
【図３】本考案の第一油煙漏れ防止部品のＢ−Ｂ断面構造図である。
【図４】本考案の魚焼き器の別一部品の組立関係の立体分解図である。
【図５】本考案の魚焼き器の全体主要構造の平面断面図である。
【図６】本考案の第二油煙漏れ部品に支持フレームを組み合わせ、魚焼き器の本体に固定した実施例局部平面断面図である。
【符号の説明】
【００１７】
１  本体
１１  下電熱管
１２  下槽孔
１３  下回転ボタン
１４  凸縁
２  蓋体
２１  油煙ろ過器
２２  上槽孔
２３  上電熱管
２４  上回転ボタン
３  第一油煙漏れ防止部品
３１  凹槽
４  第二油煙漏れ防止部品
４１  孔
４２  定位凹部
５  支持フレーム
５１  貫通孔
５２  孔
６  電源台
【図１】
0003143024.tif 000003
【図２】
0003143024.tif 000004
【図３】
0003143024.tif 000005
【図４】
0003143024.tif 000006
【図５】
0003143024.tif 000007
【図６】
0003143024.tif 000008